(57)【特許請求の範囲】
【請求項１】
縦折り目線（Ｌ１）に沿って折り畳まれ、この折り畳み形態において、平行な両側縁（２，２）をもつ横幅サイズに形成された縦折りシート体（３）を、前記両側縁と直交する横折り目線（Ｌ２）に沿って２つ折りにした折り畳み紙ナフキンであり、
前記縦折りシート体（３）の縦幅を形成する両端縁（４ａ，４ｂ）は、前記両側縁間の中心で該両側縁と平行に設定された縦中心線（Ｂ）を略基準にして、側縁に至る凹み部（５）を画成する凹み端縁（６）と側縁に至る突片部（７）を画成する突状端縁（８）とでそれぞれ形成され、前記両端縁に形成された前記凹み部を画成する前記凹み端縁と前記突片部を画成する前記突状端縁は、前記縦中心線を略基準にして互いに逆位置にそれぞれ形成され、これら凹み端縁と突状端縁とで形成された両端縁は、前記両端縁間の中心で前記縦中心線に直交するように設定された横中心線（Ｃ）と前記縦中心線とが交わる第１交点（Ｄ）を中心にして１８０度回転させた場合に互いの端縁が一致する関係に形成してあり、前記凹み端縁と突状端縁を両端縁に形成した前記縦折りシート体を前記横中心線位置を前記横折り目線（Ｌ２）位置として当該横折り目線に沿って２つに折り畳み、この横折り目線で画成された２つの横折りシート片（１ａ，１ａ）を形成し、一方の前記横折りシート片（１ａ）の前記凹み端縁（６）を該凹み端縁の後位置に在る他方の前記横折りシート片（１ａ）の前記突状端縁（８）に対してそれぞれ低い段違い構造に形成したことを特徴とする折り畳み紙ナフキン。
【請求項２】
前記凹み端縁（６）と前記突状端縁（８）とで形成された前記端縁（４ａ，４ｂ）には、前記凹み部（５）と前記突片部（７）との境界を画成する境界端縁（９）を含み、この境界端縁は前記縦中心線（Ｂ）と交差（第２交点）するように形成され、前記横折り目線（Ｌ２）に沿って前記縦折りシート体（３）を２つ折りした場合に、２つの前記境界端縁が交わる前記第２交点（Ｅ）を頂点として互いの境界端縁が二等辺をなす範囲で互いの前記突片部（７）が部分的に重ね合わされた部分重合部（１０）と、２つの前記境界端縁が交わる前記第２交点を底点として互いの前記境界端縁が二等辺をなす溝部（１１）を形成したことを特徴とする請求項１に記載の折り畳み紙ナフキン。
【請求項３】
前記凹み端縁（６）と前記突状端縁（８）とで形成された前記端縁（４ａ，４ｂ）には、前記凹み部（５）と前記突片部（７）との境界を画成する境界端縁（９）を含み、この境界端縁を直線状の傾斜端縁としてあり、この傾斜端縁（９）は前記縦中心線（Ｂ）と交差（第２交点）するように形成され、前記横折り目線（Ｌ２）に沿って前記縦折りシート体（３）を２つ折りした場合に、２つの前記傾斜端縁が交わる前記第２交点（Ｅ）を頂点として互いの前記傾斜端縁が二等辺をなす三角形状の範囲で互いの前記突片部（７）が部分的に重ね合わされた部分重合部（１０）と、２つの前記傾斜端縁が交わる前記第２交点を底点として互いの前記傾斜端縁が二等辺をなす逆三角形状のＶ字溝部（１１）を形成したことを特徴とする請求項１に記載の折り畳み紙ナフキン。
【請求項４】
前記凹み端縁（６）と前記突状端縁（８）とで形成された前記端縁（４ａ，４ｂ）には、前記凹み部（５）と前記突片部（７）との境界を画成する境界端縁（９）を含み、この境界端縁は当該境界端縁の中間点において前記縦中心線（Ｂ）と交差（第２交点）するように形成され、この境界端縁を含む前記端縁は、前記第２交点（Ｅ）を中心にして１８０度回転させた場合にこの端縁を画成する境界線（Ｌ３）が一致する関係に形成してあり、前記横折り目線（Ｌ２）に沿って前記縦折りシート体（３）を２つ折りした場合に、２つの前記境界端縁が交わる前記第２交点を頂点として互いの前記境界端縁が二等辺をなす範囲で互いの前記突片部（７）が部分的に重ね合わされた部分重合部（１０）と、２つの前記境界端縁が交わる前記第２交点を底点として互いの前記境界端縁が二等辺をなす溝部（１１）を形成したことを特徴とする請求項１に記載の折り畳み紙ナフキン。
【請求項５】
前記凹み端縁（６）と前記突状端縁（８）とで形成された前記端縁（４ａ，４ｂ）には、前記凹み部（５）と前記突片部（７）との境界を画成する境界端縁（９）を含み、この境界端縁を直線状の傾斜端縁としてあり、この傾斜端縁（９）は当該傾斜端縁の中間点において前記縦中心線（Ｂ）と交差（第２交点）するように形成され、この傾斜端縁を含む前記端縁は、前記第２交点（Ｅ）を中心にして１８０度回転させた場合にこの端縁を画成する境界線（Ｌ３）が一致する関係に形成してあり、前記横折り目線（Ｌ２）に沿って前記縦折りシート体（３）を２つ折りした場合に、２つの前記傾斜端縁が交わる前記第２交点を頂点として互いの前記傾斜端縁が二等辺をなす三角形状の範囲で互いの前記突片部（７）が部分的に重ね合わされた部分重合部（１０）と、２つの前記傾斜端縁が交わる前記第２交点を底点として互いの前記傾斜端縁が二等辺をなす逆三角形状のＶ字溝部（１１）を形成したことを特徴とする請求項１に記載の折り畳み紙ナフキン。
【発明の詳細な説明】
【０００１】
【発明の属する技術分野】
本発明は主に飲食店でお客に提供される折り畳み紙ナフキンに関する。
【０００２】
【従来の技術】
レストランなどの飲食店でお客に提供され、主に口を拭くために用いられる折り畳み紙ナフキンが、広く使用されている。
【０００３】
従来の折り畳み紙ナフキン２０は、図１乃至図２に示すように、縦折り目線Ｌ１に沿って折り畳まれ（この折り畳みは、本発明の図３に示した三つ折りが主流であるが、図４に示したＣ字折りタイプのものも存在する。）、この折り畳み形態において、平行な両側縁２，２をもつ横幅サイズに折り畳まれた長方形状の縦折りシート体２１を、前記両側縁２，２と直交し且つ当該縦折りシート体２１の縦方向の中心部（横中心線Ｃ）より一方にずらした横折り目線Ｌ２に沿って２つ折りし、この横折り目線Ｌ２で画成された短片２０ａと該短片２０ａに比して縦幅サイズを長くした長片２０ｂとに形成し、前記短片２０ａの端縁２２ａの全幅を前記長片２０ｂの端縁２２ｂの全幅に対して低位とした段違い構造に形成してある。
【０００４】
飲食店などでお客に提供される、この種の折り畳み紙ナフキンは、多数枚を重ね合わせた状態で、横折り目線で２つ折りされた両端縁を上にして、上方が開放された取出し容器内に紙ナフキンの上部側を露出させた起立状態に入れら、テーブル上に置かれて提供され、短片側の端縁を摘んで取出し容器から折り畳み紙ナフキンを抜き取る使われ方が殆どである。本来、従来の折り畳み紙ナフキンにおいても、取出し容器への挿入は、取出し容器の両方の側から紙ナフキンを抜き取ることが出来るように、取出し容器に入る数量のほぼ半分ずつ、段違いの低位の短片側をそれぞれ外側に向けて挿入しておき、この短片側をテーブルについた全員から出来るだけ死角と成らないようにすることが好ましい。しかしながら、向きを区分けして挿入された紙ナフキンの束の減り方にも差が生じうるし、抜き取られ減少された分を追加補充するたびに、向きを区分けした紙ナフキンの束を減少分だけ補充装填することは大変面倒であることから、どうしても一括同向きで補充されてしまい、短片側をそれぞれ外側に向けて半分ずつ挿入してあるのは、殆ど見かけないのが実情であった。
【０００５】
係る実情により、通常、従来の折り畳み紙ナフキン２０は、図１３（ａ）に示すように、短片２０ａ、長片２０ｂ、短片２０ａ、長片２０ｂの順に同じ向きで多数重ね合わせた状態で取出し容器３０に収容されていて、取出し容器３０の一方の側に同一方向に向けて収容された短片２０ａの端縁２２ａを摘んで抜き取り、使用されている。
【０００６】
【発明が解決しようとする課題】
このように、前記した従来の折り畳み紙ナフキン２０を同向きの重ね合わせ状態で取出し容器３０に収容してある場合、テーブルについた使用者の半分は短片２０ａ側に対して死角となる。この場合、取出し容器３０の向きを自分側に向けて取出すことをしないで、死角方向から取出すことが多い。死角方向には図１３（ｂ）のように長片２０ｂが位置し、この長片２０ｂ側は段違い構造ではないので、一枚ずつ正確に摘むことが困難で、一度に複数枚を取出してしまうことが多々ある。余分に取出した紙ナフキンを容器に戻す作業は大変面倒なため、余分に取出された紙ナフキンは使用されずにそのまま破棄されることが多く、無駄になってしまう。これは、使用者にとってはなはだ不便であり、提供するお店側にとっても大変不経済であった。
係る弊害を解消するため、本発明は、多数の折り畳み紙ナフキンを一括同向きの重ね合わせ状態で取出し容器に収容した場合であっても、取出し容器の両方向いずれの方向からでも紙ナフキンを一枚ずつ正確に摘んで取出せる段違い構造にした折り畳み紙ナフキンを提供することを目的としている。
【０００７】
また、折り畳み紙ナフキンには、提供するお店の店名やマーク等の宣伝内容が印刷され、この紙ナフキンを宣伝媒体としている。この宣伝内容は両面に印刷すれば更に宣伝効果が高くなる。しかし、従来の折り畳み紙ナフキンでは、摘み片として機能する短片側の外面のみに限定して印刷されているのが殆どである。これは、短片及び長片の両外面に宣伝内容を印刷してあると、使用者が摘み片（短片）と反摘み片（長片）を混同してしまい、反摘み片（長片）を摘み片（短片）と勘違いし、段違い構造ではない長片側から誤って取出すことを回避することを主な理由としたものである。
このような事情に鑑み、本発明は、横折り目線に沿って２つに折り畳まれたシート片の両外面に宣伝内容を印刷しても、宣伝を印刷された両外面のいずれからでも紙ナフキンを一枚ずつ正確に摘んで取出せる段違い構造とすることにより、従来の折り畳み紙ナフキンのような弊害もなく、宣伝効果を倍加できる折り畳み紙ナフキンを提供することを目的としている。
【０００８】
また、この種の折り畳み紙ナフキンは、一定枚数を重ねて横置き状態に積層して束ねたり袋詰めして、製造者からお店へ出荷されるが、従来の折り畳み紙ナフキンでは、図１４に示すように、全横幅において短片２０ａと重なり合わない長片２０ｂの段差を有する範囲（Ｈ）、すなわち全横幅において折り畳み紙ナフキンの厚みが半分になる薄い範囲（Ｈ）が比較的広くなってしまうことから、出荷移送中に、積層された製品が図１４の矢印Ｇのように移動され押し合い状態になると、どうしても全横幅において短片２０ａと重なり合わない長片２０ｂの段差を有する紙の厚みが半分になる薄い範囲（Ｈ）のシート部は押されるとカールしてしまう。このため、出荷先のお店でカール状に形崩れした紙ナフキンを取出し容器に収納すると、大変見た目も悪いものであった。
本発明は、係る実情に鑑み、全横幅において折り畳み紙ナフキンの厚みが半分になる薄い範囲を比較的狭くして、この薄い範囲に起因して生じる製品出荷移送中の製品形崩れ現象を大幅に減少できるようにした折り畳み紙ナフキンを提供することを目的としている。
【０００９】
また、本発明は、折り畳み紙ナフキンの両面いずれからでも摘み部とされる低位の段差を与えられた端縁と摘み部とされない高位の段差を与えられた端縁との境界位置を容易且つ瞬時に確認できる段違い構造とした折り畳み紙ナフキンを提供することを目的としている。
【００１０】
更に、本発明の目的は、前述した目的を達成できると共に、この折り畳み紙ナフキンを機械的に連続製造するに際して、原反ロールから繰り出されたナフキン原紙を縦折り工程後に、縦幅に段違いカットするカット工程でナフキン原紙の切り欠きカスを発生させない、段違いカット形状の端縁を有する折り畳み紙ナフキンを提供することを目的としている。
【００１１】
【課題を解決するための手段】
上記課題を解決するため、請求項１の折り畳み紙ナフキンは、縦折り目線（Ｌ１）に沿って折り畳まれ、この折り畳み形態において、平行な両側縁（２，２）をもつ横幅サイズに形成された縦折りシート体（３）を、前記両側縁と直交する横折り目線（Ｌ２）に沿って２つ折りにした折り畳み紙ナフキンであり、前記縦折りシート体（３）の縦幅を形成する両端縁（４ａ，４ｂ）は、前記両側縁間の中心で該両側縁と平行に設定された縦中心線（Ｂ）を略基準にして、側縁に至る凹み部（５）を画成する凹み端縁（６）と側縁に至る突片部（７）を画成する突状端縁（８）とでそれぞれ形成され、前記両端縁に形成された前記凹み部を画成する前記凹み端縁と前記突片部を画成する前記突状端縁は、前記縦中心線を略基準にして互いに逆位置にそれぞれ形成され、これら凹み端縁と突状端縁とで形成された両端縁は、前記両端縁間の中心で前記縦中心線に直交するように設定された横中心線（Ｃ）と前記縦中心線とが交わる第１交点（Ｄ）を中心にして１８０度回転させた場合に互いの端縁が一致する関係に形成してあり、前記凹み端縁と突状端縁を両端縁に形成した前記縦折りシート体を前記横中心線位置を前記横折り目線（Ｌ２）位置として当該横折り目線に沿って２つに折り畳み、この横折り目線で画成された２つの横折りシート片（１ａ，１ａ）を形成し、一方の前記横折りシート片（１ａ）の前記凹み端縁（６）を該凹み端縁の後位置に在る他方の前記横折りシート片（１ａ）の前記突状端縁（８）に対してそれぞれ低い段違い構造に形成したことを特徴としている。前記縦折り目線（Ｌ１）に沿って折り畳まれた前記縦折りシート体（３）の折り畳み形態は、三つ折り形態、Ｃ字折り形態の他、二つ折り形態、四つ折り形態でも良く、この折り形態は特に限定されないものである。
【００１２】
請求項１の折り畳み紙ナフキンによれば、一方の前記横折りシート片（１ａ）の前記凹み端縁（６）を該凹み端縁の後位置に在る他方の前記横折りシート片（１ａ）の前記突状端縁（８）に対してそれぞれ低い段違い構造に形成してあるため、多数の折り畳み紙ナフキンを一括同向きの重ね合わせ状態で取出し容器に収容した場合であっても、取出し容器の両方向いずれの方向からでも前記凹み端縁を摘んで紙ナフキンを一枚ずつ正確に取出すことが出来る。
【００１３】
しかも、請求項１の折り畳み紙ナフキンによれば、横折り目線で画成され折り畳まれた２つの横折りシート片（１ａ，１ａ）の両外面に宣伝内容を印刷しても、宣伝を印刷された両横折りシート片のいずれからでも前記凹み端縁を摘んで紙ナフキンを一枚ずつ正確に取出せる段違い構造としてあるため、従来の折り畳み紙ナフキンのような弊害もなく、宣伝効果を倍加できる。
【００１４】
請求項２乃至３の折り畳み紙ナフキンは、請求項１の折り畳み紙ナフキンに限定を加えたものである。請求項２の折り畳み紙ナフキンは、前記凹み端縁（６）と前記突状端縁（８）とで形成された前記端縁（４ａ，４ｂ）には、前記凹み部（５）と前記突片部（７）との境界を画成する境界端縁（９）を含み、この境界端縁は前記縦中心線（Ｂ）と交差（第２交点）するように形成され、前記横折り目線（Ｌ２）に沿って前記縦折りシート体（３）を２つ折りした場合に、２つの前記境界端縁が交わる前記第２交点（Ｅ）を頂点として互いの境界端縁が二等辺をなす範囲で互いの前記突片部（７）が部分的に重ね合わされた部分重合部（１０）と、２つの前記境界端縁が交わる前記第２交点を底点として互いの前記境界端縁が二等辺をなす溝部（１１）を形成したことを特徴としている。また、請求項３の折り畳み紙ナフキンは、請求項２記載の前記境界端縁（９）を直線状の傾斜端縁とし、これによって、請求項２記載の前記部分重合部（１０）の範囲を三角形状形とし、請求項２記載の前記溝部（１１）を逆三角形状のＶ字溝部としている。請求項３のその他の構成は請求項２と同じである。
【００１５】
請求項２乃至３の折り畳み紙ナフキンによれば、２つの横折りシート片（１ａ，１ａ）の各突片部（７，７）が部分的に重ね合わされた部分重合部（１０）を形成してあるため、請求項１の効果に加えて、全横幅において折り畳み紙ナフキンの厚みが半分になる薄い範囲（前記部分重合部（１０）の先端から前記突片部（７）の先端までの範囲）を比較的狭くでき、この薄い範囲に起因して生じる製品出荷移送中の製品形崩れ現象を大幅に減少できる。
【００１６】
しかも、請求項２乃至３の折り畳み紙ナフキンによれば、２つの横折りシート片（１ａ，１ａ）の互いの前記境界端縁（直線状の傾斜端縁）が交わる溝部（Ｖ字溝部）が形成されるため、この溝部（Ｖ字溝部）によって、折り畳み紙ナフキンの両面いずれからでも摘み部とされる低位の段差を与えられた前記凹み端縁と摘み部とされない高位の段差を与えられた前記突状端縁との境界位置を瞬時に確認でき、摘み部とされる凹み端縁を瞬時に確認して摘み取ることができる。
【００１７】
請求項４乃至５の折り畳み紙ナフキンは、請求項１の折り畳み紙ナフキンに限定を加えたものである。請求項４の折り畳み紙ナフキンは、前記凹み端縁（６）と前記突状端縁（８）とで形成された前記端縁（４ａ，４ｂ）には、前記凹み部（５）と前記突片部（７）との境界を画成する境界端縁（９）を含み、この境界端縁は当該境界端縁の中間点において前記縦中心線（Ｂ）と交差（第２交点）するように形成され、この境界端縁を含む前記端縁は、前記第２交点（Ｅ）を中心にして１８０度回転させた場合にこの端縁を画成する境界線（Ｌ３）が一致する関係に形成してあり、前記横折り目線（Ｌ２）に沿って前記縦折りシート体（３）を２つ折りした場合に、２つの前記境界端縁が交わる前記第２交点を頂点として互いの前記境界端縁が二等辺をなす範囲で互いの前記突片部（７）が部分的に重ね合わされた部分重合部（１０）と、２つの前記境界端縁が交わる前記第２交点を底点として互いの前記境界端縁が二等辺をなす溝部（１１）を形成したことを特徴としている。また、請求項５の折り畳み紙ナフキンは、請求項４記載の前記境界端縁（９）を直線状の傾斜端縁とし、これによって、請求項４記載の前記部分重合部（１０）の範囲を三角形状形とし、請求項４記載の前記溝部（１１）を逆三角形状のＶ字溝部としている。請求項５のその他の構成は請求項４と同じである。
【００１８】
請求項４乃至５の折り畳み紙ナフキンによれば、前記境界端縁（直線状の傾斜端縁）は当該境界端縁（直線状の傾斜端縁）の中間点において前記縦中心線（Ｂ）と交差（第２交点）するように形成され、この境界端縁（直線状の傾斜端縁）を含む前記端縁は、前記第２交点（Ｅ）を中心にして１８０度回転させた場合にこの端縁を画成する境界線（Ｌ３）が一致する関係に形成してあるため、請求項１乃至３の効果に加えて、この折り畳み紙ナフキンを機械的に連続製造するに際して、原反ロールから繰り出されたナフキン原紙を縦折り工程後に、前記境界線（Ｌ３）を段違いカットするカット工程でナフキン原紙の切り欠きカスを発生させない利点がある。
【００１９】
【発明の実施の形態】
以下、本発明の好ましい実施形態を示した図面に基づいて説明する。図１乃至図５は本発明の第一の実施形態（請求項５に相当する。）を示し、図１は折り畳み紙ナフキンの正面図、図２は横折り前の縦折りシート体の正面図、図３は図２のＡ−Ａ線概略断面図、図４は他の縦折り形状の概略断面図、図５は全体展開図である。
【００２０】
この折り畳み紙ナフキン１は、縦折り目線Ｌ１，Ｌ１に沿って折り畳まれ、この折り畳み形態において、平行な両側縁２，２をもつ横幅サイズに形成された縦折りシート体３を、前記両側縁２，２と直交する横折り目線Ｌ２に沿って２つ折りにして概略構成される。前記縦折り目線Ｌ１に沿って折り畳まれた前記縦折りシート体３の折り畳み形態は、従来の折り畳み紙ナフキンと同様に、図３に示した均等な折り幅をもつ三つ折り形態の他、二つ折り、四つ折り形態でも良く、また、図４に示したいわゆるＣ字折りも採用可能である。
【００２１】
前記縦折りシート体３の縦幅を形成する両端縁４ａ，４ｂは、前記両側縁２，２間の中心で該両側縁２，２と平行に設定された縦中心線Ｂを略基準にして、側縁２に至る凹み部５を画成する凹み端縁６と側縁２に至る突片部７を画成する突状端縁８とでそれぞれ形成され、前記両端縁４ａ，４ｂに形成された前記凹み部５を画成する前記凹み端縁６と前記突片部７を画成する前記突状端縁８は、前記縦中心線Ｂを略基準にして一方の端縁４ａと他方の端縁４ｂでは互いに逆位置にそれぞれ形成してある。すなわち、前記各凹み部５は、前記縦折りシート体３の一方の対角線上に位置する両コーナー側を切り欠いたような状態に形成されている。
【００２２】
これら凹み端縁６と突状端縁８とで形成された両端縁４ａ，４ｂは、図２で示した前記縦折りシート体３の形状において、前記両端縁４ａ，４ｂ間の中心で前記縦中心線Ｂに直交するように設定された横中心線Ｃと前記縦中心線Ｂとが交わる第１交点Ｄを中心にして１８０度回転させた場合に互いの端縁４ａ，４ｂが一致する関係に形成してある。図５はこの折り畳み紙ナフキン１の展開状態を示しているが、この折り畳み紙ナフキン１は、この展開状態における横中心線Ｃと縦中心線Ｂとが交わる交点Ｄを中心にして１８０度回転させた場合に元の展開形状と一致する関係に形成されている。
【００２３】
更に、この実施形態では、図２で示した前記縦折りシート体３の形状において、前記凹み端縁６と前記突状端縁８とで形成された前記端縁４ａ，４ｂには、前記凹み部５と前記突片部７との境界を画成する境界端縁９を含み、この境界端縁９を直線状の傾斜端縁としてあり、この境界端縁（傾斜端縁）９は当該境界端縁（傾斜端縁）９の中間点において前記縦中心線Ｂと交差（この交点を第２交点Ｅとする。）するように形成され、この境界端縁（傾斜端縁）９を含む前記端縁４ａ，４ｂは、前記第２交点Ｅを中心にして１８０度回転させた場合にこの端縁４ａ，４ｂを画成する境界線Ｌ３（カット線）が一致する関係に形成してある。したがって、この実施形態によれば、縦折りされた長尺のナフキン原紙を均等な縦幅間隔で前記境界線（Ｌ３）に沿って段違いカットする場合、ナフキン原紙の切り欠きカスを発生させない利点がある。
【００２４】
前記凹み端縁６と前記突状端縁８を両端縁４ａ，４ｂに形成した前記縦折りシート体３を前記横中心線（Ｃ）位置を横折り目線（Ｌ２）位置として当該横折り目線Ｌ２に沿って２つに折り畳み、この横折り目線Ｌ２で画成された２つの横折りシート片１ａ，１ａを形成し、一方の前記横折りシート片１ａの前記凹み端縁６を該凹み端縁６の後位置に在る他方の前記横折りシート片１ａの前記突状端縁８に対してそれぞれ低い段違い構造に形成している。
【００２５】
このように構成された折り畳み紙ナフキン１には、図１に示すように、２つの前記境界端縁（直線状の傾斜端縁）９，９が交わる前記第２交点（Ｅ）を頂点として互いの前記境界端縁（直線状の傾斜端縁）９，９が二等辺をなす三角形状の範囲で互いの前記突片部７，７が部分的に重ね合わされた部分重合部１０と、２つの前記境界端縁（直線状の傾斜端縁）９，９が交わる前記第２交点（Ｅ）を底点として互いの前記境界端縁（直線状の傾斜端縁）９，９が二等辺をなす逆三角形状の溝部（Ｖ字溝部）１１が形成される。
【００２６】
図６の（ａ）（ｂ）は、多数の折り畳み紙ナフキン１（第一実施形態の）を一括同向きの重ね合わせ状態で取出し容器３０に収容した状態をそれぞれ反対方向から看た状態を示している。図示したように、多数の折り畳み紙ナフキン１を一括同向きの重ね合わせ状態で取出し容器３０に収容した場合であっても、取出し容器３０の両方向いずれの方向からでも前記凹み端縁６を摘んで紙ナフキン１を一枚ずつ正確に取出すことが出来る。
【００２７】
図７は、一定枚数を重ねて横置き状態に積層した出荷移送状態の折り畳み紙ナフキン（第一実施形態の）を示している。図示したように、前記部分重合部１０が形成（この部分重合部１０の長さ範囲を符号Ｈ１で示す。）されたことによって、全横幅において折り畳み紙ナフキンの厚みが半分になる薄い範囲（Ｈ２）、すなわち前記部分重合部１０の先端から前記突片部７の先端までの範囲（Ｈ２）を比較的狭くでき、この薄い範囲に起因して生じる製品出荷移送中の製品形崩れ現象を大幅に減少できる。
【００２８】
図８乃至図１０は本発明の第二の実施形態（請求項３に相当する。）を示し、図８は折り畳み紙ナフキンの正面図、図９は横折り前の縦折りシート体の正面図、図１０は全体展開図である。この実施形態の折り畳み紙ナフキン１は、前記凹み部５と前記突片部７との境界を画成する前記境界端縁（直線状の傾斜端縁）９と前記凹み端縁６とを共通にしている。この境界端縁（直線状の傾斜端縁）９は前記縦中心線Ｂと交差（この交点を第２交点Ｅとする。）するが、第一実施形態とは異なり、前記第２交点Ｅは前記境界端縁（直線状の傾斜端縁）９の中間点からずれている。従って、第二実施形態では、この境界端縁（直線状の傾斜端縁）９を含む前記端縁４ａ，４ｂは、前記第２交点Ｅを中心にして１８０度回転させた場合にこの端縁４ａ，４ｂを画成する境界線Ｌ３が一致せず隙間（Ｍ）が生じてしまう。従って、機械的に連続製造する場合、この隙間範囲Ｍ（図９に示すハッチング範囲）の紙が切り欠きカスとなってしまう。この第二実施形態のその他の構成は、第一実施形態の構成と概略同一であり、前述した製造時の切り欠きカス発生の欠点を除き、この第二実施形態の紙ナフキンは第一実施形態の紙ナフキンの効果を共有する。
【００２９】
【発明の効果】
本発明の折り畳み紙ナフキンによれば、多数の折り畳み紙ナフキンを一括同向きの重ね合わせ状態で取出し容器に収容した場合であっても、取出し容器の両方向いずれの方向からでも前記凹み端縁を摘んで紙ナフキンを一枚ずつ正確に取出すことが出来る。しかも、本発明の折り畳み紙ナフキンによれば、横折り目線で画成され折り畳まれた２つの横折りシート片の両外面に宣伝内容を印刷しても、宣伝を印刷された両横折りシート片のいずれからでも前記凹み端縁を摘んで紙ナフキンを一枚ずつ正確に取出せる段違い構造としてあるため、従来の折り畳み紙ナフキンのような弊害もなく、宣伝効果を倍加できる。また、本発明の折り畳み紙ナフキンによれば、全横幅において折り畳み紙ナフキンの厚みが半分になる薄い範囲を比較的狭くでき、この薄い範囲に起因して生じる製品出荷移送中の製品形崩れ現象を大幅に減少できる。しかも、本発明の折り畳み紙ナフキンによれば、折り畳み紙ナフキンの両面いずれからでも摘み部とされる低位の段差を与えられた前記凹み端縁と摘み部とされない高位の段差を与えられた前記突状端縁との境界位置を瞬時に確認でき、摘み部とされる凹み端縁を瞬時に確認して摘み取ることができる。さらに、本発明の折り畳み紙ナフキンによれば、この折り畳み紙ナフキンを機械的に連続製造するに際して、原反ロールから繰り出されたナフキン原紙を縦折り工程後に、紙ナフキン単位ごとに段違いカットするカット工程でナフキン原紙の切り欠きカスを発生させない利点がある。
【図面の簡単な説明】
【図１】第一実施形態の折り畳み紙ナフキンの正面図である。
【図２】第一実施形態の横折り前の縦折りシート体の正面図である。
【図３】図２のＡ−Ａ線概略断面図である。
【図４】他の縦折り形状の概略断面図である。
【図５】第一実施形態の折り畳み紙ナフキンの全体展開図である。
【図６】第一実施形態の折り畳み紙ナフキンの提供状態を示した斜視図である。
【図７】第一実施形態の折り畳み紙ナフキンの積層出荷状態を示した説明図である。
【図８】第二実施形態の折り畳み紙ナフキンの正面図である。
【図９】第二実施形態の横折り前の縦折りシート体の正面図である。
【図１０】第二実施形態の折り畳み紙ナフキンの全体展開図である。
【図１１】従来の折り畳み紙ナフキンの正面図である。
【図１２】従来の横折り前の縦折りシート体の正面図である。
【図１３】従来の折り畳み紙ナフキンの提供状態を示した斜視図である。
【図１４】従来の折り畳み紙ナフキンの積層出荷状態を示した説明図である。
【符号の説明】
１  折り畳み紙ナフキン
２，２  側縁
３  縦折りシート体
Ｌ１  縦折り目線
Ｌ２  横折り目線
４ａ，４ｂ  端縁
５  凹み部
６  凹み端縁
７  突片部
８  突状端縁
Ｂ  縦中心線
Ｃ  横中心線
Ｄ  第１交点
１ａ，１ａ  横折りシート片
９  境界端縁（傾斜端縁）
Ｅ  第２交点
１０  部分重合部
１１  溝部（Ｖ字溝部）
Ｌ３  境界線
【図１】
0003648218.tif 000002
【図２】
0003648218.tif 000003
【図３】
0003648218.tif 000004
【図４】
0003648218.tif 000005
【図５】
0003648218.tif 000006
【図６】
0003648218.tif 000007
【図７】
0003648218.tif 000008
【図８】
0003648218.tif 000009
【図９】
0003648218.tif 000010
【図１０】
0003648218.tif 000011
【図１１】
0003648218.tif 000012
【図１２】
0003648218.tif 000013
【図１３】
0003648218.tif 000014
【図１４】
0003648218.tif 000015